(57)【要約】【課題】低温環境下でも迅速な輝度の立上り特性を有する、サイドライト型で薄型のバックライト装置を提供すること。【解決手段】サイドライト型のバックライト装置１で、蛍光ランプ２の外表面と、この外表面とリフレクタ６の対向面との隙間空間は、蛍光ランプ２の外表面と導光板８の入光端面との隙間空間よりも大きく設定する。【選択図】図１
2008293683.tif 000002
【特許請求の範囲】
【請求項１】
蛍光ランプと、この蛍光ランプの管軸方向に対向して配置されて該蛍光ランプからの光を所定方向に反射するリフレクタと、前記蛍光ランプに対し、前記リフレクタと反対側に配置されて入光端面が前記蛍光ランプの管軸方向に対向して設けられた導光板と、この導光板の前記入光端面と前記蛍光ランプの外表面との間に一定幅の隙間空間を有するように組み込まれた前記蛍光ランプを固定保持したランプホルダとを具備したサイドライト型のバックライト装置であって、
前記蛍光ランプの外表面と、この外表面と前記リフレクタの対向面との隙間空間は、前記蛍光ランプの外表面と前記導光板の入光端面との隙間空間よりも大きく設定されていることを特徴とするバックライト装置。
【請求項２】
前記蛍光ランプの外表面と前記導光板の入光端面との隙間空間は０．５ｍｍ〜１．７５ｍｍであることを特徴とする請求項１記載のバックライト装置。
【請求項３】
前記蛍光ランプの外表面と該外表面と前記リフレクタの対向面との隙間空間は、少なくとも０．５ｍｍを超えていることを特徴とする請求項１または２に記載のバックライト装置。
【請求項４】
前記リフレクタは、断面がコ字状の場合、前記蛍光ランプの外表面と対向するリフレクタの対向面は、前記導光板の入光端面に対向する対向面であることを特徴とする請求項１乃至３のいずれか１項に記載のバックライト装置。
【発明の詳細な説明】
【技術分野】
【０００１】
本発明は、ノートモバイルＰＣやカーナビゲーション等の薄型が要求されている装置のディスプレイで用いられている液晶用バックライト装置に関し、特に、サイドライト型のバックライト装置に関する。
【背景技術】
【０００２】
従来、薄型が特に要求される装置、例えばノートモバイルＰＣ、ナビゲーションＴＶ等の比較的広い表示面積の液晶表示装置を用いたディスプレイ装置では、バックライト装置として、光源としての細管の蛍光ランプと、導光板、レンズシート、拡散シート等で構成されるサイドライト型のバックライト装置が採用されていることが多い。
【０００３】
サイドライト型のバックライト装置は、図４に一例を分解斜視図により示すように、光源である冷陰極放電蛍光ランプ又はＲＧＢの色光を放射する希ガス蛍光ランプ（以下、各蛍光ランプを包含して、単に、「蛍光ランプ」という）４１ａの円周方向に近接するようにリフレクタシート又は光反射特性を持つ板材、樹脂成型品等のリフレクタ４２ａを装着し、又は設置している。そしてこれらの蛍光ランプ４１ａとリフレクタ４２ａとを透明の導光板４３のエッジ４３ａに近接して配置し、導光板４３の上下から反射シート４４、拡散シート４５、レンズシート４６を挟み込む形で配列した構造であり、全体が筐体（不図示）の中に装着されている。
【０００４】
図５に外観図を示すように、蛍光ランプ４１ａは、光源ユニットとして点灯のための電圧印加による電力供給用のワイヤハーネス４７が接続されたランプホルダ５０により両端が保持固定されている。ランプホルダ５０は、蛍光ランプ４１ａの両端部分を保護し、蛍光ランプ４１ａをバックライト装置の所定の位置に固定し易いように、弾性を有するゴム硬度が５０度程度のシリコンゴムなどの材質が用いられている。また、ランプホルダ５０は、蛍光ランプ４１ａの蛍光ランプ挿入部分に対応する外形形状が、角柱状あるいは円柱状に形成されている。
【０００５】
また、ランプホルダ５０は、図６に装着状態を示すように、内側で蛍光ランプ４１ａを保持固定すると共に、外側面はバックライト装置を構成しているリフレクタ４２ａ（バックライト装置の筐体の一部として形成されている場合もある）と導光板４３に面接触している。
【０００６】
一部にリフレクタ４２ａを形成しているバックライト装置の筐体は、通常、比較的薄いステンレスなどの金属板が多く使用されている。
【０００７】
図７に配置図を示したように、ランプホルダ５０により蛍光ランプ４１ａが略コ字状のリフレクタ４２ａの内部の所定位置に保持固定されている場合、保持固定された状態での、リフレクタ４２ａと蛍光ランプ４１ａとの位置関係は、主として蛍光ランプ４１ａからの全方向の光、すなわち、導光板４３と対向していない曲面からの光をリフレクタ４２ａで反射させて効率よく導光板４３に導くための光学的配慮と、蛍光ランプ４１ａの放熱の観点から設定されている。
【０００８】
すなわち、蛍光ランプ４１ａの外表面と導光板４３の入光端面との隙間空間（Ａ）と、蛍光ランプ４１ａの外表面と、この外表面とリフレクタ４２ａの対向面との隙間空間は（Ｂ）とが略等（Ａ≒Ｂ）しくなっている場合が多い。（例えば、特許文献１を参照）  なお、符号（Ａ）と（Ｂ）については、図１で表示している符号（Ａ）と（Ｂ）と同一箇所を意味している。
【０００９】
ただし、蛍光ランプ４１ａの外表面と導光板４３の入光端面との隙間空間（Ａ）と、蛍光ランプ４１ａの外表面と、この外表面とリフレクタ４２ａの対向面との隙間空間は（Ｂ）について、導光板４３と対向位置のリフレクタ４２ａの形状を、＞形状にして蛍光ランプ４１ａをリフレクタ４２ａに接近させて（Ａ＞Ｂ）いる場合も開示されている。（例えば、特許文献２を参照）
蛍光ランプ４１ａで発光に伴い発生した熱の放熱は、主として、リフレクタを介して筐体等からバックライト装置の外部へ放熱される。つまり、蛍光ランプ４１ａの発熱は、蛍光ランプ４１ａに接触しているランプホルダ５０により熱伝導によりリフレクタ４２ａに放熱され、さらに、リフレクタ４２ａが面接触している筐体５１へ熱伝導されて放熱されている。また、蛍光ランプ４１ａがランプホルダ５０と接触していない領域の熱は、輻射によりリフレクタ４２ａに放熱され、さらにリフレクタ４２ａが面接触している筐体５１へ熱伝導されて放熱されている。
【００１０】
なお、蛍光ランプの放熱については、冷陰極蛍光ランプ等で発生した熱を放熱させるために、ランプホルダと放熱板が一体構造に形成されている場合についても開示されている。（例えば、特許文献３を参照）
また、蛍光ランプハウスやランプホルダを一体構造にして、背面筐体内に接触して固定し、蛍光ランプで発生した熱を、金属フレームを介して外部に放熱する構造も開示されている。（例えば、特許文献４を参照）
また、通常、バックライト装置の用いる蛍光ランプは、水銀（Ｈｇ）と、アルゴン（Ａｒ）等の希ガスとを封入した蛍光ランプを光源として使用しているが、この蛍光ランプは低温雰囲気中では水銀の蒸気圧が低く、始動しにくいうえに、光束の立上りが遅いという問題がある。
【００１１】
一般に、蛍光ランプは２５℃前後の温度環境下で最も効率良く発光する。蛍光ランプは、低温時には水銀蒸気の圧力が低下するため、周囲温度が低温になるほど始動しにくい。また、周囲温度が低温の場合は、始動後も発光輝度が低くなってしまうという不都合がある。特に、始動時に熱電子を放出しない冷陰極タイプの電極を用いた蛍光ランプは、低温時に極めて始動しにくいことが知られている。
【特許文献１】特開２００２−２０３４２０号公報
【特許文献２】特開２００４−３４９１０６号公報
【特許文献３】特開平３−２０４６１８号公報
【特許文献４】特開２００３−２１５５４７号公報
【発明の開示】
【発明が解決しようとする課題】
【００１２】
上述のように、通常、バックライト装置の用いる蛍光ランプは、水銀（Ｈｇ）と、アルゴン（Ａｒ）等の希ガスとを封入した蛍光ランプを光源として使用しているが、この蛍光ランプは低温雰囲気中では水銀の蒸気圧が低く、始動しにくいうえに、光束の立上りが遅いという問題がある。
【００１３】
一般に、蛍光ランプは２５℃前後の温度環境下で最も効率良く発光する。蛍光ランプは、低温時には水銀蒸気の圧力が低下するため、周囲温度が低温になるほど始動しにくい。また、周囲温度が低温の場合は、始動後も発光輝度が低くなってしまうという不都合がある。特に、始動時に熱電子を放出しない冷陰極タイプの電極を用いた蛍光ランプは、低温時に極めて始動しにくいことが知られている。
【００１４】
例えば、上述の配置構造のようにリフレクタの内部の中央部に蛍光ランプを配置した場合、低温環境（−２０℃）での輝度の立上り特性としては、低温環境内で蛍光ランプ点灯後の１分後の輝度が、常温飽和輝度５０％以上の輝度が要求されているのに対し、上述の配置構造では４５％程度にとどまり、バックライト装置としての輝度は不十分である。
【００１５】
特に、ノートモバイルＰＣや車載ナビのモニタは屋外等の低温環境下での使用に対しての要求仕様として、従来のものより一層、外形寸法・重量に大きく影響するバックライト装置のさらなる薄型化と、低温状態からの輝度立上り(明るさが安定するまでの時間)の短縮要求が強まっている。
【００１６】
しかしながら、バックライト装置自体が薄型になるほど、寸法的に蛍光ランプの上下と対向するリフレクタの部位については、蛍光ランプとの間隔が狭くなり近接状態になり、従来のような間隔を確保できなくなる。その結果、輻射熱の伝熱は距離の二乗に反比例するので、低温環境下では、蛍光ランプの点灯の際に、暖まった蛍光ランプの周囲の空気が、蛍光ランプに近接する低温のリフレクタに効率よく伝わって放熱され、蛍光ランプが温まりにくい状態となる。そのため、バックライト装置を薄型にするほど、低温環境下での輝度立上りが遅くなるという問題が生じてきた。
【００１７】
本発明は、これらの事情に基づいてなされたもので、低温環境下でも迅速な輝度の立上り特性を有する、サイドライト型で薄型のバックライト装置を提供することを目的としている。
【課題を解決するための手段】
【００１８】
本発明のバックライト装置の実施の形態に係る特徴は、蛍光ランプと、この蛍光ランプの管軸方向に対向して配置されて該蛍光ランプからの光を所定方向に反射するリフレクタと、前記蛍光ランプに対し、前記リフレクタと反対側に配置されて入光端面が前記蛍光ランプの管軸方向に対向して設けられた導光板と、この導光板の前記入光端面と前記蛍光ランプの外表面との間に一定幅の隙間空間を有するように組み込まれた前記蛍光ランプを固定保持したランプホルダとを具備したサイドライト型のバックライト装置であって、
前記蛍光ランプの外表面と、この外表面と前記リフレクタの対向面との隙間空間は、前記蛍光ランプの外表面と前記導光板の入光端面との隙間空間よりも大きく設定されていることである。
【００１９】
また、本発明のバックライト装置の実施の形態に係る特徴は、前記蛍光ランプの外表面と前記導光板の入光端面との隙間空間は０．５ｍｍ〜１．７５ｍｍであることである。
【００２０】
また、本発明のバックライト装置の実施の形態に係る特徴は、前記蛍光ランプの外表面と該外表面と前記リフレクタの対向面との隙間空間は、少なくとも０．５ｍｍを超えていることである。
【００２１】
また、本発明のバックライト装置の実施の形態に係る特徴は、前記リフレクタは、断面がコ字状の場合、前記蛍光ランプの外表面と対向するリフレクタの対向面は、前記導光板の入光端面に対向する対向面であることである。
【発明の効果】
【００２２】
本発明のバックライト装置によれば、薄型化しても、低温環境下での迅速な輝度の立上り特性が図れる。
【発明を実施するための最良の形態】
【００２３】
以下、本発明のバックライト装置についての実施するための最良の形態を、図面を参照して説明する。
【００２４】
図１は、本発明の実施形態を示すサイドライト型のバックライト装置、および、それを用いた液晶表示装置で、ランプホルダにより蛍光ランプが保持されている位置での要部断面図を示している。
【００２５】
液晶表示装置１０に用いられるサイドライト型のバックライト装置１は、導光板８の側面から入光させた光を用いて、液晶パネル１１をその背面から照射することにより、この液晶パネル１１の表示面を所定の輝度で表示させるものである。
【００２６】
バックライト装置１は、大別すると、蛍光ランプ２の光を所定方向に集光したり、蛍光ランプ２への給電を行なうランプアセンブリ３と、集光された蛍光ランプ２からの光を液晶パネル１１へ導く光学部材４と、ランプアセンブリ３と光学部材４を組み立て状態で固定する筐体５により構成されている。
【００２７】
ランプアセンブリ３は、蛍光ランプ２、リフレクタ６、ランプホルダ７、及び配線（図１には図示せず）等により構成されている。なお、ランプアセンブリ３はメンテナンス性等の観点から、バックライト装置１の本体に対して着脱可能な構成となっている。
【００２８】
蛍光ランプ２は、冷陰極管の光源であり、ガラス管内にＡｒガス、Ｎｅガスと共に水銀が封入されており、また管壁には蛍光物質が塗布されている。外径寸法φは、φ＝２．４ｍｍで、さらに細い外径寸法のφ＝１．８ｍｍやφ＝２．０ｍｍも用いられている。
【００２９】
また、蛍光ランプ２の両端部には電極部（図１には図示せず）が内設されており、この電極部に接続された配線（図１には図示せず）は外部に引き出されている。なお、電極部は蛍光ランプ２の両端部に配設されているが、配線は一端からのみ引き出されコネクタ（図１には図示せず）に接続されている。
【００３０】
これらの構成の蛍光ランプ２は、ガラス管の外表面で電極部と対応する両端部がランプホルダ７により把持され、ランプホルダ７の外側はリフレクタ６に内接している。したがって、蛍光ランプ２はランプホルダ７を介してリフレクタ６に対しても所定位置で固定されている。
【００３１】
リフレクタ６は、断面形状がほぼコ字状で、白色の樹脂成型（厚さ、０．５ｍｍ〜０．７ｍｍ）で形成されているか、あるいは、金属板（ＳＵＳ、鉄またはアルミニウム等）で、折り曲げ加工により形成され、蛍光ランプ２に沿うよう長く配設されている。なお、後述する筐体５への放熱部材としては、熱伝導の良好な金属板の方が優れているが、蛍光ランプ２の発熱を外部に放熱しないためには、金属よりも断熱性の高い樹脂性の方を用いるのが好ましい。
【００３２】
リフレクタ６は、断面形状がほぼコ字状であるので、３面を有し、コ字状の内部に位置する蛍光ランプ２に対しては、３面がそれぞれ対向し、３つの対向する面（１つの垂直方向反射面と２つ水平方向反射面）が、それぞれ反射面として機能する。
【００３３】
このリフレクタ６の蛍光ランプ２と対向する各反射面には、銀蒸着層または白色反射層が成膜されており、蛍光ランプ２からの光を効率よく反射させるよう構成されている。これにより、蛍光ランプ２の光は、発散することなく効率よく、蛍光ランプ２と対向する導光板８のエッジ８ａ面に導かれる。また、リフレクタ６は、蛍光ランプ２で発生した熱を密接している筐体５を介して外部に放熱する放熱部材としても機能する。
【００３４】
ランプホルダ７は、例えばシリコンゴムに導電性の高い金属粉をフィラーとして混入して成型されており、高い熱伝導率を有している。このランプホルダ７は、蛍光ランプ２の両端部、即ち蛍光ランプ２の電極部が設けられた位置を把持している。そして、このランプホルダ７は、上述のように蛍光ランプ２をリフレクタ６に対して、所定位置に固定する機能を奏している。また、ランプホルダ７はリフレクタ６に取り付けられることにより、このリフレクタ６と熱伝導により熱的に接続された構成となっている。
【００３５】
光学部材４は、一面が液晶パネル１１の裏面には光学部材４および導光板８が積層配置され、導光板８の入光端面であるエッジ８ａには光源である蛍光ランプ２が対向して配置されている。また、導光板８の表面側には（液晶パネル１１と対向する側）に配設される光学シート９と、導光板８の裏面側に配設された反射シート１２等により構成されている。
【００３６】
導光板８は、アクリル等の透明度の高い樹脂により形成され、厚さは、３．０ｍｍ〜３．７ｍｍ程度である。また、光学シート９（レンズシートおよび拡散シート等）は、導光板８から放出される光を集光・拡散等し、液晶パネル１１へ効率よく光を放出させるものである。反射シート１２は、ＰＥＴの表面に金属膜が設けられ鏡面化されて形成され、導光板８から漏れた光を反射させ再度、導光板８の内部へ光を戻す役割を果たしている。
【００３７】
筐体５は、金属製で内側が、リフレクタ６の外側に密接し、また、ランプアセンブリ３と光学部材４を組み立て状態で固定して一体化している。したがって、リフレクタ６の熱は、密接している筐体５に熱伝導され、筐体５の外部の外気へ放熱される。
【００３８】
次に、筐体５に固定された状態での、蛍光ランプ２と導光板８およびリフレクタ６との位置関係について説明する。
【００３９】
前提として、（イ）薄型のバックライト装置１０でも、蛍光ランプ２と導光板８との間には製品の性能上から必ず隙間空間を必要としており、通常、その隙間空間寸法は１．０ｍｍが一般的であるが、現行の部品と組み立て技術による限界設計を考えると最小でも０．５ｍｍは必要としている。また、（ロ）導光板８と蛍光ランプ２との隙間空間は、小型化の観点から３．０ｍｍを最大としている。
【００４０】
図１で示したように、（Ａ）を、蛍光ランプ２の外表面と導光板８の入光端面との隙間空間と、（Ｂ）を、蛍光ランプ２の外表面と、この外表面とリフレクタ６の対向面との隙間空間とした場合、
本実施形態では、蛍光ランプ２の外表面と導光板８の入光端面との隙間空間（Ａ）と、蛍光ランプ２の外表面と、この外表面とリフレクタ６の対向面との隙間空間（Ｂ）との関係は、
Ａ＜Ｂ、としている。
【００４１】
また、蛍光ランプ２の外表面と導光板８の入光端面との隙間空間（Ａ）は、実験より確認し、０．５ｍｍ〜１．７５ｍｍである。したがって、蛍光ランプ２の外表面と、この外表面とリフレクタ６の対向面との隙間空間（Ｂ）は、蛍光ランプ２の外表面と導光板８の入光端面との隙間空間（Ａ）に対応して、少なくとも０．５ｍｍを超えて設定している。
【００４２】
この隙間空間（ＡとＢ）の関係を維持するために、蛍光ランプ２を保持する手段であるランプホルダ７の形状は、図２に側面図を示したように、ランプホルダ７の筐体５に接する側７ａの肉厚が、従来（背景技術の項で説明した、Ａ≒Ｂの場合等）のよりも厚く形成されている。
【００４３】
蛍光ランプ２で発光に伴い発生した熱の放熱は、ランプホルダ７に接触している部位では、リフレクタ６を介して密接している筐体５からバックライト装置１の外部の外気へ放熱される。つまり、蛍光ランプ２の発熱は、蛍光ランプ２に接触しているランプホルダ７により熱伝導により、リフレクタ６に放熱され、さらに、リフレクタ６が面接触している筐体５へ熱伝導されて、外気へ放熱さる。
【００４４】
蛍光ランプ２で発光に伴い発生した熱は、特に、蛍光ランプ２の電極部が設けられた両端部の位置では温度上昇が激しく、輝度上昇のために供給電流を高めた場合には１２０℃以上となることもある。このため、蛍光ランプ２の両端部に配設されるランプホルダ７は、伝熱性の良好な材質を用い、熱をランプホルダ７を介してリフレクタ６に放熱する構成にしている。
【００４５】
一方、蛍光ランプ２がランプホルダ７と接触していない領域の熱は、輻射によりリフレクタ６に放熱され、リフレクタ６の外側が密接している筐体５へ熱伝導され、放熱されている。輻射熱の伝熱は距離の二乗に反比例するので、距離が近づくに従って二乗で伝熱される。
【００４６】
蛍光ランプ２の放電媒体に水銀を用いた冷陰極蛍光ランプ２の場合、輝度立ちあがり（明るさの安定所要用時間）は管内に封入している水銀の蒸気圧に大きく依存し、その水銀の蒸気圧は温度に依存する。そのため、低温状態での輝度立上り時間を限られたバックライトの構造寸法内で最良の状態にするには、蛍光ランプ２の点灯による熱が出来る限り冷やされにくい蛍光ランプ２の位置関係にする事が重要である。
【００４７】
本実施の形態では、上述のように、蛍光ランプ２の外表面と導光板８の入光端面との隙間空間（Ａ）と、蛍光ランプ２の外表面と、この外表面とリフレクタ６の対向面との隙間空間（Ｂ）との関係は、
Ａ（蛍光ランプ２の外表面と導光板８の入光端面との隙間空間）＜Ｂ（蛍光ランプ２の外表面と、この外表面とリフレクタ６の対向面との隙間空間）となっている。
【００４８】
実際に、−２０℃での蛍光ランプ２の中央位置での、時間ごとの相対輝度（％）の測定結果のデータのグラフを、従来のＡ≒Ｂの場合を図３（ａ）に示し、本実施形態の、Ａ＜Ｂの場合を図３（ｂ）に示した。両グラフでは、縦軸が相対輝度（％）であり、横軸が蛍光ランプ２の点灯後の時間である。
【００４９】
点灯からの立上り時間が６０秒後の相対輝度は、従来のＡ≒Ｂの場合は４５％であるが、本実施形態のＡ＜Ｂの場合は、６０％に上昇し、輝度の立上り特性が１５％向上している。すなわち、低温環境下での本実施形態での蛍光ランプ２の輝度の立上り特性が向上したことが確認された。
【００５０】
つまり、低温環境下では、筐体の低温に伴い、筐体に密接しているリフレクタも低温化している。ただし、蛍光ランプの外表面と該外表面と対向するリフレクタの対向面との隙間空間は、蛍光ランプの外表面と導光板の入光端面との隙間空間よりも大きく、離間しているので、蛍光ランプからリフレクタへの輻射による伝熱は良好ではない。そのため、蛍光ランプの温度の低下が抑制される。その結果、低温環境下でも、蛍光ランプを点灯した際、蛍光ランプが温まる時間を早くすることができる。それにより、蛍光ランプの輝度の立上り特性を向上させることができる。
【００５１】
なお、上述の実施形態では、Ｂの距離である、蛍光ランプの外表面と、この外表面とリフレクタの対向面との隙間空間は、断面がコ字状のリフレクタの場合、リフレクタの対向面は導光板の入光端面との対向面（垂直方向反射面）として説明したが、さらに、リフレクタの対向面で他の面（水平方向反射面）である導光板の長手方向に平行な面についても、上述の実施形態と同様の関係にすれば、より一層効果的である。
【００５２】
また、断面がコ字状のリフレクタの少なくともいずれかの一つの対向面について、Ａ（蛍光ランプの外表面と導光板の入光端面との隙間空間）＜Ｂ（蛍光ランプの外表面と、この外表面とリフレクタの対向面との隙間空間）の関係にすれば、それに応じて上述の輝度の立上り特性の向上が得られる。したがって、低温環境下でも、蛍光ランプを点灯した際、蛍光ランプが温まる時間を早くすることができ、蛍光ランプの輝度の立上り特性を向上させることができる。
【００５３】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５４】
【図１】本発明の実施形態を示すサイドライト型のバックライト装置、および、それを用いた液晶表示装置の要部断面図。
【図２】本発明の実施形態を示すサイドライト型のバックライト装置に用いられているランプホルダの側面図。
【図３】−２０℃での蛍光ランプの中央位置での、時間ごとの相対輝度（％）の測定結果のデータのグラフで、（ａ）は従来の場合、（ｂ）本発明の実施形態の場合。
【図４】サイドライト型のバックライト装置の一般例の分解斜視図。
【図５】従来のランプホルダの斜視図。
【図６】従来のランプホルダとその装着状態の説明図。
【図７】従来のサイドライト型のバックライト装置の要部断面図。
【符号の説明】
【００５５】
１…バックライト装置、２…蛍光ランプ、３…ランプアセンブリ、４…光学部材、５…筐体、６…リフレクタ、７…ランプホルダ、８…導光板、９…光学シート、１０…液晶表示装置、１１…液晶パネル、１２…反射板。
【図１】
2008293683.tif 000003
【図２】
2008293683.tif 000004
【図３】
2008293683.tif 000005
【図４】
2008293683.tif 000006
【図５】
2008293683.tif 000007
【図６】
2008293683.tif 000008
【図７】
2008293683.tif 000009